(57)【要約】【課題】繰り返し行き来しないような遠隔場所でも、口頭での報告によらずに、状態を把握することができる状態表示通知システムを提供すること。【解決手段】入り状態を表示する第１面１０ｓおよび切り状態を表示する第２面１０ｒを有して第１面または第２面を目視可能な状態にして着脱自在に結線表示板１０２に保持されるタブレット１０Ａ、１０Ｂと、タブレットの第１面または第２面のいずれが表面であるか検出して、その検出情報を遠隔位置の監督モニタに通知する。【選択図】図５
2013005666.tif 000002
【特許請求の範囲】
【請求項１】
第１状態を表示する第１面および第２状態を表示する第２面を有して前記第１面または前記第２面を目視可能な表示位置に着脱自在に保持される表示部材と、
前記表示位置に保持されている前記表示部材の目視可能な面が前記第１面または前記第２面のいずれであるか検出する表示検出部と、
前記表示検出部が検出する検出情報を外部に通知する表示通知部と、
を備えることを特徴とする状態表示通知システム。
【請求項２】
前記表示検出部は、前記表示部材が前記表示位置から外されている際には、当該外される直前の検出情報を前記表示通知部が外部に通知する情報として維持する構成を備えることを特徴とする請求項１に記載の状態表示通知システム。
【請求項３】
前記表示検出部は、前記表示部材が前記表示位置から外されている際には、前記表示部材が前記表示位置に保持されていないことを検出して、前記表示通知部が外部に通知する検出情報にする構成を備えることを特徴とする請求項１または２に記載の状態表示通知システム。
【請求項４】
前記表示検出部は、前記表示部材内に内蔵されている磁石の磁力が前記表示位置で目視可能にされる前記第１面または前記第２面に応じて接点側に働いて吸引することによる前記接点のスイッチ本体側との導通接触の有無で当該表示部材の保持状態を検出する構成を備えることを特徴とする請求項１から３のいずれか１項に記載の状態表示通知システム。
【請求項５】
前記表示検出部は、前記表示部材の前記表示位置での有無に応じて該表示部材により接点が機械的に移動されることによる前記接点のスイッチ本体側との導通接触の有無で当該表示部材の保持状態を検出する構成を備えることを特徴とする請求項１から４のいずれか１項に記載の状態表示通知システム。
【発明の詳細な説明】
【技術分野】
【０００１】
本発明は、状態表示通知システムに関し、詳しくは、状態表示に連動して遠隔位置などにその状態表示を通知できるものに関する。
【背景技術】
【０００２】
複数人が関連する対象に各種作業を行い得る環境にある場合には、各作業者が作業対象の状態を把握することなく不適切な作業を施してしまうことを回避するために、特定の作業対象の状態を他の作業者に通知しておくことにより、その作業対象の状態を共通認識させることが重要である。
【０００３】
例えば、作業対象の装置機器の稼働状態を表示する場合には、稼働中（入）・停止中（切）を表裏で表示するタブレット（板状の表示札）を、表面または裏面を目視可能な状態に吊り下げておくなどして、そのタブレットが目に入るだけで、その装置状態を把握して、不用意な作業をしてしまうことを未然に回避することができる。
【０００４】
そして、特許文献１には、発電所や変電所などの現場機器が複数設置されている作業現場、および、その現場機器毎の稼働状態を操作表示盤上で管理する現場管理室のように、異なる場所でも現場機器毎の稼働状態を共通認識できるようにタブレットを用いることが提案されている。この特許文献１には、現場機器の表示位置と操作表示盤の表示位置とで交換可能に一対一に対応して着脱自在に保持させることにより稼働状態を双方で表示する一対のタブレットが記載されている。この一対のタブレットは、表裏で現場機器の稼働中・停止中を表示して、作業現場と現場管理室のそれぞれで表面または裏面のいずれか一方を共通に表示できるようになっている。このタブレットを採用する場合には、例えば、誤った現場機器の作業現場での操作を現場管理室で把握することができ、その作業のやり直しなどの処理を適切に指示することができる。
【先行技術文献】
【特許文献】
【０００５】
【特許文献１】特開２００８−１１８７９４号公報
【発明の概要】
【発明が解決しようとする課題】
【０００６】
しかしながら、この種のタブレットにあっては、作業者がタブレットを操作する場所でのみ、その機器の状態を目視可能に表示して他の作業者などに通知することができるだけであり、そのタブレットを目視することができない場所では、例えば、有線や無線の通信装置を介する口頭での報告がない限り、機器の状態を把握することができない。
【０００７】
特許文献１に記載のタブレットでも、同様であり、現場機器の稼働状態を把握することができるのは現場管理室で止まってしまい、例えば、遠隔場所の中央管理室では、口頭での報告がない限り、現場機器の状態を把握することができない。
【０００８】
この口頭での報告には、勘違いが含まれる場合がある。そのようなヒューマンエラーが発生すると、現場機器の稼働状態を正確に確保することができない可能性があることから、そのヒューマンエラーの発生を未然に防止するために、確認作業に細心の注意が必要であり、本来不必要な作業負担が大きい。
【０００９】
そこで、本発明は、繰り返し行き来しないような遠隔場所でも、口頭での報告によらずに、状態を把握することができる状態表示通知システムを提供することを目的としている。
【課題を解決するための手段】
【００１０】
上記課題を解決する状態表示通知システムの発明の一態様は、第１状態を表示する第１面および第２状態を表示する第２面を有して前記第１面または前記第２面を目視可能な表示位置に着脱自在に保持される表示部材と、前記表示位置に保持されている前記表示部材の目視可能な面が前記第１面または前記第２面のいずれであるか検出する表示検出部と、前記表示検出部が検出する検出情報を外部に通知する表示通知部と、を備えることを特徴とするものである。
【００１１】
この発明の一態様では、表示部材の第１面または第２面のいずれが目視可能にされているか検出されて外部に通知される。したがって、その表示部材を目視できない外部でも、その検出情報を受け取るだけで、把握すべき対象が第１状態または第２状態のいずれであるかを表示場所と同一に共通認識することができる。
【発明の効果】
【００１２】
このように本発明の一態様によれば、把握対象の状態を表示する表示部材の操作を、その表示を目視不能な外部に通知して把握させることができる。したがって、口頭での報告に頼ることなく、遠隔位置の状態を把握することができ、把握対象の状態を共通認識して適切な処置をすることができる。
【図面の簡単な説明】
【００１３】
【図１】本発明に係る状態表示通知システムの第１実施形態の概略全体構成を示す図であり、（ａ）はその入り状態表示からの切替操作を示す概念図、（ｂ）はその切り状態表示からの切替操作を示す概念図である。
【図２】その要部構成を示す図であり、（ａ）はその入り状態を表示するタブレットを示す平面図、（ｂ）その切り状態を表示するタブレットを示す平面図、（ｃ）はそのタブレットを保持させる取付台座を示す平面図、（ｄ）はその取付台座を示す側面図である。
【図３】図２のタブレットと一対になる別個のタブレットと取付台座を示す図であり、（ａ）はその入り状態を表示するタブレットを示す平面図、（ｂ）その切り状態を表示するタブレットを示す平面図、（ｃ）はそのタブレットを保持させる取付台座を示す平面図、（ｄ）はその取付台座を示す側面図である。
【図４】そのタブレットと取付台座の構成を示す図であり、（ａ）はそのタブレットの内部構造を示す透視側面図、（ｂ）はその取付台座の内部構造を示す透視側面図である。
【図５】そのタブレットを取付台座に保持させたときの図であり、（ａ）は入り状態を表面に表示させる状態で取付台座に保持させたときの状態を示す透視側面図、（ｂ）は切り状態を表面に表示させる状態で取付台座に保持させたときの状態を示す透視側面図である。
【図６】そのタブレットの表示状態を通知するシーケンスを示す図であり、そのタブレットが入り状態を表示するように取付台座に保持されたときのシーケンス図である。
【図７】そのタブレットの表示状態を通知するシーケンスを示す図であり、そのタブレットが外されたときのシーケンス図である。
【図８】そのタブレットの表示状態を通知するシーケンスを示す図であり、そのタブレットが切り状態を表示するように取付台座に保持されたときのシーケンス図である。
【図９】本発明に係る状態表示通知システムの第２実施形態を示す図であり、タブレットが入り状態を表示するように取付台座に保持されたときのシーケンス図である。
【図１０】そのタブレットの表示状態を通知するシーケンスを示す図であり、そのタブレットが外されたときのシーケンス図である。
【図１１】そのタブレットの表示状態を通知するシーケンスを示す図であり、そのタブレットが切り状態を表示するように取付台座に保持されたときのシーケンス図である。
【発明を実施するための形態】
【００１４】
本発明の実施形態の一態様としては、第１状態を表示する第１面および第２状態を表示する第２面を有して前記第１面または前記第２面を目視可能な表示位置に着脱自在に保持される表示部材と、前記表示位置に保持されている前記表示部材の目視可能な面が前記第１面または前記第２面のいずれであるか検出する表示検出部と、前記表示検出部が検出する検出情報を外部に通知する表示通知部と、を備えるのに加えて、次の構成を備えてもよい。
【００１５】
第１の他の態様としては、前記表示検出部は、前記表示部材が前記表示位置から外されている際には、当該外される直前の検出情報を前記表示通知部が外部に通知する情報として維持する構成を備えることを特徴とする請求項１に記載の状態表示通知システム。
されていてもよい。
【００１６】
この態様では、表示部材が外されている間には、外される前の状態表示を維持することができる。したがって、把握すべき対象の状態が不明になってしまうことを回避することができる。
【００１７】
第２の他の態様としては、前記表示検出部は、前記表示部材が前記表示位置から外されている際には、前記表示部材が前記表示位置に保持されていないことを検出して、前記表示通知部が外部に通知する検出情報にする構成を備えていてもよい。
【００１８】
この態様では、表示部材が外されている間には、外されていることを通知することができる。したがって、把握すべき対象の状態を必要に応じた態様で把握することができる。
【００１９】
第３の他の態様としては、前記表示検出部は、前記表示部材内に内蔵されている磁石の磁力が前記表示位置で目視可能にされる前記第１面または前記第２面に応じて接点側に働いて吸引することによる前記接点のスイッチ本体側との導通接触の有無で当該表示部材の保持状態を検出する構成を備えていてもよい。
【００２０】
この態様では、表示部材を保持させているときに磁力で吸引される接点の導通接触の有無により第１面または第２面のいずれが目視可能な状態にあるかを検出することができる。したがって、特別な操作することなく、表示部材を着脱するだけで把握すべき対象の状態を通知することができる。
【００２１】
第４の他の態様としては、前記表示検出部は、前記表示部材の前記表示位置での有無に応じて該表示部材により接点が機械的に移動されることによる前記接点のスイッチ本体側との導通接触の有無で当該表示部材の保持状態を検出する構成を備えていてもよい。
【００２２】
この態様では、表示部材を保持させているときに機械的に移動される接点の導通接触の有無によりその表示部材の有無を検出することができる。したがって、特別な操作することなく、表示部材を着脱するだけで把握すべき対象の状態を通知することができる。
【００２３】
以下、図面を参照して、本発明の実施形態について詳細に説明する。図１〜図８は本発明に係る状態表示通知システムの第１実施形態を示す図である。
【００２４】
図１において、状態表示通知システムは、発電所などの現場機器ａｅ毎に設置されて、板状のタブレット（表示部材）１０Ａ、１０Ｂを着脱可能に保持させる現場タブレット表示板１０１と、現場機器ａｅを操作する作業員の現場詰め所（現場管理室）に設置されて、その現場機器ａｅの連携接続関係を現わす結線図ｗｆが表示されているとともに複数の現場機器ａｅを統括管理可能にその結線図ｗｆ内の対応する位置にタブレット１０Ａ、１０Ｂを着脱可能に保持させる結線表示板１０２と、現場詰め所から離れた場所から現場機器ａｅの操作を指示する監督者の遠隔管理室（外部の中央管理室）に設置されて、現場機器ａｅの操作状態を例えば、一覧表などにして把握可能に表示する不図示の監督モニタと、により構成されている。
【００２５】
ここで、本実施形態では、板状のタブレット１０Ａ、１０Ｂを一例にして説明するが、これに限るものではなく、状態を表示する２面をそれぞれ表面側に向ける姿勢で保持させることができる形状、例えば、立方体などに形成してもよい。また、結線表示板１０２と監督モニタとが通信可能に接続されるだけで、現場タブレット表示板１０１とは接続されていないので、実質的には、結線表示板１０２と監督モニタとにより状態表示通知システムが構築されている。なお、現場タブレット表示板１０１も後述するように監督モニタや現場詰め所のモニタなどと通信可能に接続して状態表示通知システム内に組み込んでもよい。また、監督モニタとして、結線表示板１０２と同等な液晶表示パネルを準備して、同等の表示をするようにしてもよい。
【００２６】
現場タブレット表示板１０１と結線表示板１０２は、図２および図３に示すように、それぞれタブレット１０Ａ、１０Ｂを着脱可能に取り付ける取付台座２０Ｐ、２０Ｑがそれぞれ準備されている。タブレット１０Ａ、１０Ｂには、貫通する差込穴１１が穿孔されており、取付台座２０Ｐ、２０Ｑには、タブレット１０Ａ、１０Ｂの差込穴１１内に差し込んで脱落しない状態に保持する保持ピン２１が立設されている。
【００２７】
タブレット１０Ａ、１０Ｂは、差込穴１１が現場機器ａｅ毎に異なる固有の配列に形成されており、表裏の色や文字で現場機器ａｅの入り・切り状態を現わすようになっている。具体的には、タブレット１０Ａ、１０Ｂは、入り状態を現わす第１面１０ｓが全面赤色に塗装されて「入」文字Ｃｓが表示される一方、切り状態を現わす第２面１０ｒが全面緑色（図中ではトーンを付している）に塗装されて「切」文字Ｃｒが表示されている。取付台座２０Ｐ、２０Ｑは、現場機器ａｅ毎に対応するタブレット１０Ａ、１０Ｂの差込穴１１に差込可能に保持ピン２１が配列されている。この差込穴１１と保持ピン２１は、現場機器ａｅに対応するタブレット１０Ａ、１０Ｂと取付台座２０Ｐ、２０Ｑとでは鏡に写した所謂、鏡面関係になるように配列されている。
【００２８】
これにより、結線表示板１０２の取付台座２０Ｐの保持ピン２１を差込穴１１内に差し込んで保持させるタブレット１０Ａは、裏返すことにより、現場タブレット表示板１０１の取付台座２０Ｑの保持ピン２１を差込穴１１内に差し込んで保持させることができる。反対に、現場タブレット表示板１０１の取付台座２０Ｑの保持ピン２１を差込穴１１内に差し込んで保持させるタブレット１０Ｂは、裏返すことにより、結線表示板１０２の取付台座２０Ｐの保持ピン２１を差込穴１１内に差し込んで保持させることができる。
【００２９】
例えば、現場詰め所の作業者が特定の現場機器ａｅを入り状態（稼働中）から切り状態（停止中）に切替制御する指示を受けた場合には、特定現場機器ａｅに対応する結線表示板１０２の取付台座２０Ｐで入り状態を現わすタブレット１０Ａを外して特定現場機器ａｅの設置場所に移動したときに、裏返したタブレット１０Ａ´を現場タブレット表示板１０１の取付台座２０Ｑに保持させて切り状態にしたことを現わすことができる。その作業者は、同様に、その現場タブレット表示板１０１の取付台座２０Ｑで切り状態を現わすタブレット１０Ｂを外して現場詰め所に戻ったときに、裏返したタブレット１０Ｂ´を結線表示板１０２の取付台座２０Ｐに保持させて切り状態であることを現わすことができる。
【００３０】
したがって、現場機器ａｅ毎に一対のタブレット１０Ａ、１０Ｂが準備されており、そのタブレット１０Ａ、１０Ｂは、同時に、現場タブレット表示板１０１と結線表示板１０２の取付台座２０Ｐ、２０Ｑに入り状態を現わす第１面１０ｓ側を表面側にして保持させるか、切り状態を現わす第２面１０ｒ側を表面側にして保持させるかしかできず、現場機器ａｅの状態を共通に現わすようにして、誤操作してしまうことを回避することを実現することができる。
【００３１】
そして、タブレット１０Ａ、１０Ｂは、図４（ａ）に示すように、入り状態を現わす第１面１０ｓ側に板状の磁石１２が内蔵されており、切り状態を現わす第２面１０ｒ側に磁力が及ばないように磁気シールド材１３が第１面１０ｓとの間の中間層に介在するように内蔵されている。
【００３２】
一方、結線表示板１０２の取付台座２０Ｐは、図４（ｂ）に示すように、表面２０ｔ側に向かって接離する方向に移動可能な導体接点板（接点）２２と、この導体接点板２２に接触可能に表面２０ｔ側に配置されている一対の接点部材（スイッチ本体）２３と、導体接点板２２を表面２０ｔから離隔する方向に均等に付勢する複数のスプリング２４と、が内装されており、導体接点板２２が磁力により吸引されてスプリング２４の付勢力に抗して接点部材２３に導通接触したときに、接点部材２３に導通する第１検出端子（表示検出部）３１間を導通状態にするようになっている。
【００３３】
また、取付台座２０Ｐは、表面２０ｔに対する鉛直方向に突出または埋没する進退ピン２６と、この進退ピン２６の後端部側に固設されている導体接点板（接点）２７と、進退ピン２６の両側に位置して導体接点板２７に接触可能に配置されている一対の接点部材（スイッチ本体）２８と、進退ピン２６の後端部側を付勢して表面２０ｔから突出させるスプリング２９と、が内装されており、進退ピン２６が機械的に後退（埋没）方向に押されてスプリング２９の付勢力に抗して接点部材２８に導体接点板２７が導通接触したときに、接点部材２８に導通する第２検出端子（表示検出部）３２間を導通状態にするようになっている。
【００３４】
これにより、取付台座２０Ｐは、図４（ｂ）に示すように、タブレット１０Ａ、１０Ｂがない状態のときには、導体接点板２２が磁石１２の磁力により吸引されることなく接点部材２３からスプリング２４の付勢力により離隔して第１検出端子３１間を開放状態にする。また、進退ピン２６は、タブレット１０Ａ、１０Ｂに押されることなくスプリング２９の付勢力により突出することにより、導体接点板２７が接点部材２８に接近して導通接触し第２検出端子３２間を導通状態にする。
【００３５】
また、取付台座２０Ｐは、図５（ａ）に示すように、第１面１０ｓを目視可能に表面側にするタブレット１０Ａ、１０Ｂが差込穴１１に保持ピン２１を差し込んで保持させる状態にされたときには、導体接点板２２が磁石１２の磁力により吸引されて接点部材２３に導通接触することなく、タブレット１０Ａ、１０Ｂがない場合と同様に第１検出端子３１間を開放状態にする。また、進退ピン２６は、タブレット１０Ａ、１０Ｂに押されてスプリング２９の付勢力に抗して埋没（後退）することにより、導体接点板２７が接点部材２８から離隔して第２検出端子３２間を開放状態にする。
【００３６】
また、取付台座２０Ｐは、図５（ｂ）に示すように、第２面１０ｒを目視可能に表面側にするタブレット１０Ａ´、１０Ｂ´が差込穴１１に保持ピン２１を差し込んで保持させる状態にされたときには、導体接点板２２が磁石１２の磁力により吸引されてスプリング２４の付勢力に抗して接点部材２３に接近して導通接触し第１検出端子３１間を導通状態にする。また、進退ピン２６は、タブレット１０Ａ、１０Ｂの表裏に関係なく同様に、タブレット１０Ａ、１０Ｂに押されて第２検出端子３２間を開放状態にする。
【００３７】
なお、現場タブレット表示板１０１の取付台座２０Ｑは、上述したように、監督モニタなどに情報通信可能に接続する訳ではないので、導体接点板２２などの接点構造を内装する必要はないが、内装させて状態表示通知システムとして監督モニタなどに通信可能に組み込んでもよい。
【００３８】
さらに、結線表示板１０２は、図６に示すように、直流電源のＰ相とＮ相の間に接続されて電力供給を受けて機能する複数の第１〜第４リレー３５〜３９によりシーケンス回路が構築されており、この複数のリレー３５〜３９は、取付台座２０Ｐの第１、第２検出端子３１、３２の導通または開放（遮断）に応じて切替動作する。
【００３９】
第１リレー３５は、接点端子としてＡ接点３５ａとＢ接点３５ｂを備えており、電源入力端子３５ｉに取付台座２０Ｐの第１検出端子３１が接続されている。第２リレー３６は、接点端子として２組のＢ接点３６ｂ１、３６ｂ２を備えており、電源入力端子３６ｉに取付台座２０Ｐの第２検出端子３２が接続されている。
【００４０】
第３リレー３７は、直列接続した第１リレー３５のＡ接点３５ａと第２リレー３６のＢ接点３６ｂ１が電源入力端子３７ｉに接続されており、第４リレー３８は、同様に、直列接続した第１リレー３５のＢ接点３５ｂと第２リレー３６のＢ接点３６ｂ２が電源入力端子３８ｉに接続されている。また、第３、第４リレー３７、３８は、後述する遠隔表示信号を監督モニタ側に出力する回路（表示通知部）内の表示入力端子４１の導通・遮断を切替制御する切替接点３９ａを備えて、所謂、キープリレー３９を構成しており、キープリレー３９は、電源入力端子３７ｉ、３８ｉの導通・遮断（電力供給の有無）に応じて切替接点３９ａを動作させて表示入力端子４１の導通・遮断を保持するようになっている。
【００４１】
このキープリレー３９（第３、第４リレー３７、３８）は、上記直流電源から電力供給を受取可能な経路が電源入力端子３７ｉ、３８ｉの一方と切替接点３９ａとの間に形成されたときに、その切替接点３９ａが他方側と導通状態になるように切替動作するようになっており、第３リレー３７側と切替接点３９ａとの導通状態時に表示入力端子４１を遮断する一方、第４リレー３８側と切替接点３９ａとの導通状態時に表示入力端子４１を導通させる。そして、キープリレー３９は、タブレット１０Ａ、１０Ｂが外されるなどして電源入力端子３７ｉ、３８ｉが遮断状態になったために切替接点３９ａが動作して表示入力端子４１の導通・遮断を切り替える回路ではなく、電源入力端子３７ｉ、３８ｉが遮断される変化に追従することなく、直前の表示入力端子４１の導通・遮断状態を維持するようになっている。
【００４２】
具体的には、第１面１０ｓを表面側にして入り状態を表示するタブレット１０Ａが結線表示板１０２の取付台座２０Ｐに保持されている場合には、次のようなシーケンス制御が実行される。
【００４３】
まず、図６に示すように、導体接点板２２がタブレット１０Ａの磁石１２の磁力により吸引されることなく接点部材２３から離隔して第１検出端子３１間は遮断状態にあって、第１リレー３５のＡ接点３５ａが遮断状態、Ｂ接点３５ｂが導通状態になる。また、進退ピン２６がタブレット１０Ａに押されて導体接点板２７は接点部材２８から離隔して第２検出端子３２間も遮断状態にあって、第２リレー３６のＢ接点３６ｂ１、３６ｂ２が導通状態になる。この場合には、第３リレー３７は、電源入力端子３７ｉの第２リレー３６のＢ接点３６ｂ１が導通状態にあっても第１リレー３５のＡ接点３５ａが遮断状態にあることから動作することはなく、第４リレー３８は、電源入力端子３８ｉの第１、第２リレー３５、３６のＢ接点３５ｂ、３６ｂ２が導通状態にあることから動作する。このため、キープリレー３９としては、切替接点３９ａが第３リレー３７側に切り替わっている場合には動作することなく、第４リレー３８側に切り替わっている場合に第３リレー３７側に切り替えるように動作して表示入力端子４１を遮断する。
【００４４】
したがって、結線表示板１０２の取付台座２０Ｐにタブレット１０Ａが入り状態を表示する状態で取り付けられている場合には、表示入力端子４１を遮断して遠隔表示信号を送出することなく、遠隔表示信号なし（入り状態検出情報）を通知することができる。よって、作業現場の現場タブレット表示板１０１と現場詰め所の結線表示板１０２で表示している、特定現場機器ａｅの入り状態情報（検出情報）を、遠隔場所の遠隔管理室に設置されている監督モニタ側にも通知して表示させることができ、現場機器ａｅの入り状態を現場側から連絡を受けるまでもなく、把握することができる。
【００４５】
また、タブレット１０Ａを結線表示板１０２の取付台座２０Ｐから外して現場タブレット表示板１０１の取付台座２０Ｐに保持されていたタブレット１０Ｂと交換する場合には、次のようなシーケンス制御が実行される。
【００４６】
まず、図７に示すように、導体接点板２２がタブレット１０Ａの磁石１２の磁力により吸引されることなく接点部材２３から離隔して第１検出端子３１間は遮断状態にあって、第１リレー３５のＡ接点３５ａが遮断状態、Ｂ接点３５ｂが導通状態になる。また、進退ピン２６はタブレット１０Ａ、１０Ｂ´に押されることなく、導体接点板２７が接点部材２８に導通接触して第２検出端子３２間が導通状態になって、第２リレー３６のＢ接点３６ｂ１、３６ｂ２が遮断状態になる。この場合には、第３リレー３７は、電源入力端子３７ｉの第１リレー３５のＡ接点３５ａと第２リレー３６のＢ接点３６ｂ１が共に遮断状態にあることから動作することはなく、第４リレー３８も、電源入力端子３８ｉの第１リレー３５のＢ接点３５ｂが導通状態にあっても第２リレー３６のＢ接点３６ｂ２が遮断状態にあることから動作することはない。このため、キープリレー３９としては、切替接点３９ａが切替動作することなく、先の切替動作による表示入力端子４１の遮断・導通状態を維持することができ、この図７に示すように、先の図６に示す表示入力端子４１の遮断状態を維持する。
【００４７】
したがって、結線表示板１０２の取付台座２０Ｐにタブレット１０Ａ、１０Ｂ´が入り・切り状態を表示する状態に取り付けられていない場合には、先に切り替えた表示入力端子４１の遮断・導通状態を保持して、遠隔表示信号の停止・送出を継続することにより入り・切り状態検出情報の通知を維持することができる。よって、作業現場の現場タブレット表示板１０１と現場詰め所の結線表示板１０２で表示切替される前の特定現場機器ａｅの入り・切り状態情報（検出情報）を監督モニタ側に通知したままにして表示させることができ、結線表示板１０２の取付台座２０Ｐからタブレット１０Ａ、１０Ｂ´が外されたために特定現場機器ａｅの入り・切り状態が分からなくなってしまうことを回避することができる。
【００４８】
また、第２面１０ｒを表面側にして切り状態を表示するタブレット１０Ｂ´が結線表示板１０２の取付台座２０Ｐに保持されている場合には、次のようなシーケンス制御が実行される。
【００４９】
まず、図８に示すように、導体接点板２２がタブレット１０Ａの磁石１２の磁力により吸引されて接点部材２３に導通接触して第１検出端子３１間は導通状態にあって、第１リレー３５のＡ接点３５ａが導通状態、Ｂ接点３５ｂが遮断状態になる。また、進退ピン２６がタブレット１０Ｂ´に押されて導体接点板２７は接点部材２８から離隔して第２検出端子３２間が遮断状態にあって、第２リレー３６のＢ接点３６ｂ１、３６ｂ２が導通状態になる。この場合には、第４リレー３８は、電源入力端子３８ｉの第２リレー３６のＢ接点３６ｂ２が導通状態にあっても第１リレー３５のＢ接点３５ｂが遮断状態にあることから動作することなく、第３リレー３７は、電源入力端子３７ｉの第１リレー３５のＡ接点３５ａと第２リレー３６のＢ接点３６ｂ１が導通状態にあることから動作する。このため、キープリレー３９としては、切替接点３９ａが第４リレー３７側に切り替わっている場合には動作することなく、第３リレー３８側に切り替わっている場合に第４リレー３７側に切り替えるように動作して表示入力端子４１を導通する。
【００５０】
したがって、結線表示板１０２の取付台座２０Ｐにタブレット１０Ｂ´が切り状態を表示する状態で取り付けられている場合には、表示入力端子４１を導通して遠隔表示信号を送出して、遠隔表示信号あり（切り状態検出情報）を通知することができる。よって、作業現場の現場タブレット表示板１０１と現場詰め所の結線表示板１０２で表示している、特定現場機器ａｅの切り状態情報（検出情報）を、遠隔場所の遠隔管理室に設置されている監督モニタ側にも通知して表示させることができ、現場機器ａｅの切り状態を現場側から連絡を受けるまでもなく、把握することができる。
【００５１】
このように本実施形態においては、現場機器ａｅ毎の現場タブレット表示板１０１と、現場詰め所の結線表示板１０２とに保持させるタブレット１０Ａ、１０Ｂが表示する現場機器ａｅ毎の入り・切り状態表示を、遠隔位置の遠隔管理室に設置されている監督モニタにも自動的に通知表示させて、現場からの電話連絡により確認するまでもなく（口頭での報告に頼ることなく）、タブレット１０Ａ、１０Ｂによる表示切替操作を把握することができる。したがって、勘違いや言い間違いなどのヒューマンエラーによる作業ミスが発生してしまうことなく、遠隔管理室などのように直接コミュニケーションを取ることができない遠隔場所からでも各作業場所での状況を確実に把握して共通認識することができ、その現場機器ａｅの入り・切りを正確に把握して的確な処理等の作業内容を指示することができる。
【００５２】
次に、図９〜図１１は本発明に係る状態表示通知システムの第２実施形態を示す図である。ここで、本実施形態は、上述実施形態と略同様に構成されていることから、同様の構成には同一の符号を付して特徴部分を説明する。
【００５３】
図９において、状態表示通知システムは、タブレット１０Ａ、１０Ｂを着脱可能に保持させる、現場機器ａｅ毎の現場タブレット表示板１０１と、現場詰め所の結線表示板１０２と、遠隔管理室の監督モニタと、により構成されており、結線表示板１０２が備えるシーケンス回路を構築する第２リレー３６が、接点端子として、２組のＢ接点３６ｂ１、３６ｂ２に加えて、監督モニタ側に遠隔有無信号を出力する出力回路内の補助入力端子４２として機能するＡ接点を有している。
【００５４】
このため、第１面１０ｓを表面側にして入り状態を表示するタブレット１０Ａが結線表示板１０２の取付台座２０Ｐに保持されている場合には、上述実施形態で説明した図６に示すシーケンス制御が実行されるとともに、このときには、進退ピン２６がタブレット１０Ａに押されて導体接点板２７が接点部材２８から離隔して第２検出端子３２間は遮断状態にあって、第２リレー３６のＢ接点３６ｂ１、３６ｂ２が導通状態になるのと同時に、補助入力端子（Ａ接点）４２が遮断状態になる。
【００５５】
したがって、結線表示板１０２の取付台座２０Ｐにタブレット１０Ａが入り状態を表示する状態で取り付けられている場合には、表示入力端子４１を遮断して遠隔表示信号を送出することなく、特定現場機器ａｅの入り状態情報を監督モニタ側に通知するのと同時に、補助入力端子４２を遮断して遠隔有無信号を送出することなく、タブレットあり状態情報を通知することができる。よって、タブレット１０Ａを取り外してタブレット１０Ｂに交換する操作中情報を表示させることなく、作業現場の現場タブレット表示板１０１と現場詰め所の結線表示板１０２で表示している、特定現場機器ａｅの入り状態情報（検出情報）のみを、遠隔場所の遠隔管理室に設置されている監督モニタ側にも通知して表示させることができ、現場機器ａｅの入り状態を現場側から連絡を受けるまでもなく、把握することができる。
【００５６】
また、タブレット１０Ａを結線表示板１０２の取付台座２０Ｐから外して現場タブレット表示板１０１の取付台座２０Ｐに保持されていたタブレット１０Ｂと交換する場合には、上述実施形態で説明した図７に示すシーケンス制御が実行されるとともに、このときには、進退ピン２６がタブレット１０Ａ、１０Ｂ´に押されることなく、導体接点板２７が接点部材２８に導通接触して第２検出端子３２間が導通状態になって、第２リレー３６のＢ接点３６ｂ１、３６ｂ２が遮断状態になるのと同時に、補助入力端子（Ａ接点）４２が導通状態になる。
【００５７】
したがって、結線表示板１０２の取付台座２０Ｐからタブレット１０Ａ、１０Ｂ´が外されている場合には、先に切り替えた表示入力端子４１の遮断・導通状態を保持して、遠隔表示信号の停止・送出を継続することにより入り・切り状態検出情報の通知を維持するのと同時に、補助入力端子４２が導通して遠隔有無信号を送出して、タブレット１０Ａ、１０Ｂ´を取り外して交換する操作中情報を監督モニタに通知することができる。よって、直前の特定現場機器ａｅの入り・切り状態情報の表示を継続させると共に、操作中であることを表示させることができ、現場機器ａｅの入り・切り状態の操作中であることを現場側から連絡を受けるまでもなく、把握することができる。
【００５８】
また、第２面１０ｒを表面側にして切り状態を表示するタブレット１０Ｂ´が結線表示板１０２の取付台座２０Ｐに保持されている場合には、上述実施形態で説明した図８に示すシーケンス制御が実行されるとともに、このときには、進退ピン２６がタブレット１０Ｂ´に押されて導体接点板２７が接点部材２８から離隔して第２検出端子３２間が遮断状態にあって、第２リレー３６のＢ接点３６ｂ１、３６ｂ２が導通状態になるのと同時に、補助入力端子（Ａ接点）４２が遮断状態になる。
【００５９】
したがって、結線表示板１０２の取付台座２０Ｐにタブレット１０Ｂ´が切り状態を表示する状態で取り付けられている場合には、表示入力端子４１を導通して遠隔表示信号を送出して、特定現場機器ａｅの切り状態情報を監督モニタ側に通知するのと同時に、補助入力端子４２を遮断して遠隔有無信号を送出することなく、タブレットあり状態情報を通知することができる。よって、タブレット１０Ａを取り外してタブレット１０Ｂに交換する操作中情報を表示させることなく、作業現場の現場タブレット表示板１０１と現場詰め所の結線表示板１０２で表示している、特定現場機器ａｅの切り状態情報（検出情報）のみを、監督モニタ側にも通知して表示させることができ、現場機器ａｅの切り状態を現場側から連絡を受けるまでもなく、把握することができる。
【００６０】
このように本実施形態においては、上述実施形態による作用効果に加えて、現場詰め所の結線表示板１０２からタブレット１０Ａ、１０Ｂが外されている状態をも、遠隔位置の遠隔管理室に設置されている監督モニタに自動的に通知表示させることができ、現場からの電話連絡により確認するまでもなく（口頭での報告に頼ることなく）、作業中の特定現場機器ａｅを把握することができる。したがって、勘違いや言い間違いなどのヒューマンエラーによる作業ミスが発生してしまうことなく、遠隔管理室などのように直接コミュニケーションを取ることができない遠隔場所からでも各作業場所での状況を確実に把握して共通認識することができ、その現場機器ａｅの入り・切り操作状況を正確に把握して的確な処理等の作業内容を指示することができる。
【００６１】
本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【産業上の利用可能性】
【００６２】
これまで本発明の一実施形態について説明したが、本発明は上述の実施形態に限定されず、その技術的思想の範囲内において種々異なる形態にて実施されてよいことは言うまでもない。
【符号の説明】
【００６３】
１０Ａ、１０Ｂ  タブレット
１０ｒ  第２面
１０ｓ  第１面
１１    差込穴
１２    磁石
１３    磁気シールド材
２０Ｐ、２０Ｑ  取付台座
２１    保持ピン
２２、２７      導体接点板
２３、２８      接点部材
２４、２９      スプリング
２６    進退ピン
３１    第１検出端子
３２    第２検出端子
３５〜３８      第１〜第４リレー
３５ａ、        Ａ接点
３５ｂ、３６ｂ１、３６ｂ２      Ｂ接点
３５ｉ、３６ｉ、３７ｉ、３８ｉ  電源入力端子
３９    キープリレー
３９ａ  切替接点
４１    表示入力端子
４２    補助入力端子
１０１  現場タブレット表示板
１０２  結線表示板
ａｅ    現場機器
ｗｆ    結線図
【図１】
2013005666.tif 000003
【図２】
2013005666.tif 000004
【図３】
2013005666.tif 000005
【図４】
2013005666.tif 000006
【図５】
2013005666.tif 000007
【図６】
2013005666.tif 000008
【図７】
2013005666.tif 000009
【図８】
2013005666.tif 000010
【図９】
2013005666.tif 000011
【図１０】
2013005666.tif 000012
【図１１】
2013005666.tif 000013